(57)【特許請求の範囲】
【請求項１】
電話線の架空ケーブルが取り付けられる下方に位置する一段目のツキ出し用腕金物に垂直に固着され、上方に位置する二段目のツキ出し用腕金物に固着する長方形状で、その下方の一端に前記下方に位置する一段目のツキ出し用腕金物に固着する円形の締着孔を設けると共に、その上方の他端には上方に位置する前記二段目のツキ出し用腕金物に固着される楕円形の締着孔を設け、かつ、この締着孔に二段目のツキ出し用腕金物への取付用のガイドとなる円形に形成されその周縁に補強用リブを有する切欠部が連設されたツキ出し用押さえ金物を使用し、前記円形の締着孔にボルトとナットを介して下方に位置する一段目のツキ出し用腕金物の適宜位置に直交して該ツキ出し用押さえ金具を固着し、次に、当該一段目のツキ出し用腕金物と所定の間隔を有してその上方に平行して前記二段目のツキ出し用腕金物を電柱にボルト締めし、さらに、このボルトを中心に前記二段目のツキ出し用腕金物を回動させ、前記ツキ出し用押さえ金物の前記楕円形の締着孔の前記切欠部を介して前記二段目のツキ出し用腕金物に契合し、ツキ出し用押さえ金物のボルトとナットを緩めて上端の締着孔方向に摺動させてその取付位置を微調整し、最後に、ボルト締めの位置を決めて強固にボルト締めをしてツキ出し用押さえ金物を二段目のツキ出し用腕金物に固着することを特徴とするツキ出し用押さえ金物を使用した架空ケーブルを上方に位置する二段目のツキ出し用腕金物への移設方法。
【発明の詳細な説明】
【０００１】
【産業上の利用分野】
本発明は電話線の架空ケーブル工事に使用されるツキ出し用押さえ金物に関し、特に、既設のツキ出し用腕金物に二段目のツキ出し用腕金物を取り付ける際に、高所での既設ケーブルを移設する工程を無くし、安全性の向上と作業効率を高めることができたツキ出し用押さえ金物に関するものである。
【０００２】
【従来の技術】
従来、電話線の架空ケーブル工事においては、ケーブルが取り付けられるツキ出し用腕金物は電柱の適宜の高所位置に直交して突設され、このツキ出し用腕金物にケーブルを直交して取り付けるものである。この場合、ケーブルの増設に伴い、既設のツキ出し用腕金物に平行して二段目のツキ出し用腕金物を取り付ける際には、従来では、既設のケーブルを他の場所に移動し、電柱に取り付けたツキ出し用腕金物のボルトとナットを全部外した後に、既設の一段目と二段目のツキ出し用腕金物間に掛け渡して固定するツキ出し用押さえ金物は、その両端部を二本のツキ出し用腕金物にボルトとナットを介してその都度固定してツキ出し用腕金物に取り付ける作業を行っている。
【０００３】
このように、従来の新しく二段目のツキ出し用腕金物を取り付ける場合には、前述したように、高所でのケーブルの移設及び戻し工程を必要とすると共に、二段目のツキ出し用腕金物の取付作業は逐次新しくツキ出し用押さえ金物を取り付ける必要があった。従って、高所での危険な作業を強いられ、安全性の確保に問題があると共に、ツキ出し用腕金物の取付効率が極めて悪く、作業者の負担も大きく、作業コストの高騰に結果することとなっていた。
【０００４】
【発明が解決しようとする課題】
本発明は、前記のような欠点を払拭するためになされたものであり、高所での既設ケーブルの移設作業を無くして危険負担の軽減、作業の安全性を確保することができるようにすると共に、二段目のツキ出し用腕金物を取り付ける作業を瞬時に行い、作業効率を高めて作業者の負担を軽減し、作業コストの軽減を図ることができたツキ出し用押さえ金物を提供するためになされたものである。しかも、今後急速に進められているケーブルの光化により、架空光ケーブルの多条掛けが見込まれることから、高所作業工程（危険工程）の減少に寄与できるツキ出し用押さえ金物を提供するためになされたものである。
【０００５】
【課題を解決するための手段】
上記目的を達成するために、本発明に係るツキ出し用押さえ金物を使用した架空ケーブルを上方に位置する二段目のツキ出し用腕金物への移設方法は、電話線の架空ケーブルが取り付けられる下方に位置する一段目のツキ出し用腕金物に垂直に固着され、上方に位置する二段目のツキ出し用腕金物に固着する長方形状で、その下方の一端に前記下方に位置する一段目のツキ出し用腕金物に固着する円形の締着孔を設けると共に、その上方の他端には上方に位置する前記二段目のツキ出し用腕金物に固着される楕円形の締着孔を設け、かつ、この締着孔に二段目のツキ出し用腕金物への取付用のガイドとなる円形に形成されその周縁に補強用リブを有する切欠部が連設されたツキ出し用押さえ金物を使用し、前記円形の締着孔にボルトとナットを介して下方に位置する一段目のツキ出し用腕金物の適宜位置に直交して該ツキ出し用押さえ金具を固着し、次に、当該一段目のツキ出し用腕金物と所定の間隔を有してその上方に平行して前記二段目のツキ出し用腕金物を電柱にボルト締めし、さらに、このボルトを中心に前記二段目のツキ出し用腕金物を回動させ、前記ツキ出し用押さえ金物の前記楕円形の締着孔の前記切欠部を介して前記二段目のツキ出し用腕金物に契合し、ツキ出し用押さえ金物のボルトとナットを緩めて上端の締着孔方向に摺動させてその取付位置を微調整し、最後に、ボルト締めの位置を決めて強固にボルト締めをしてツキ出し用押さえ金物を二段目のツキ出し用腕金物に固着することを特徴とする。
【０００７】
【実施例】
以下に、本発明に係るツキ出し用押さえ金物の一実施例を図面に基づいて説明する。図１は斜視図、図２は正面図、図３は側面図、図４は背面図である。本発明に係るツキ出し用押さえ金物１は図示されるように、長方形の形状に形成されており、その下端には後述する一段目のツキ出し用腕金物２ａに取り付けられる円形の締着孔３が形成されている。この締着孔３にボルト４とナット５を介して一段目（下段）のツキ出し用腕金物２ａに固着される。次に、前記ツキ出し用押さえ金物１の上端には後述する二段目のツキ出し用腕金物２ｂにボルト４とナット５を介して締着される楕円形状の締着孔６が形成されている。そして、この締着孔６に連設して二段目のツキ出し用腕金物２ｂへの取付用のガイドとなる円形に形成された切欠部７が連設されており、その周縁に補強用リブ８を設けてある。この切欠部７は円形形状に限定されることなく、例えば、締着孔６の下方に向けて末広がり状の形状に形成しても良い。一段目のツキ出し用腕金物２ａは図５から図８に図示されるように、電柱９に直交してボルト締めされており、このツキ出し用腕金物２ａの適宜位置に直交してツキ出し用押さえ金物１が取り付けられる。２ｂは二段目（上段）のツキ出し用腕金物であり、一段目のツキ出し用腕金物２ａと所定の間隔を有して平行して電柱９に同じくボルト締めされている。尚、図中、１０はツキ出し用腕金物２ａ、２ｂの固定用腕金であり、電柱９から二段目のツキ出し用腕金物２ｂに斜めに架け渡してボルト締めされ、ツキ出し用腕金物２ａ、２ｂを強固に固定している。又、Ｍは作業者を示すものである。
【０００８】
前記のように構成した本発明に係るツキ出し用押さえ金物１においては、一段目のツキ出し用腕金物２ａに加えて二段目のツキ出し用腕金物２ｂを増設する場合、下段の一段目のツキ出し用腕金物２ａに取り付けたツキ出し用押さえ金物１は固定状態にしておき、二段目のツキ出し用腕金物２ｂに切欠部７を介してツキ出し用押さえ金物１のボルト４とナット５を緩めて上端の締着孔６方向に摺動させてその取付位置を微調整し、最後に、ボルト締めの位置を決めて強固にボルト締めをしてツキ出し用押さえ金物１を二段目のツキ出し用腕金物２ｂに固着する。この際、リブ８によってツキ出し用腕金物２ｂへのツキ出し用押さえ金物１の取付位置がずれることなく、強固に固定される。このように、本発明によれば、ツキ出し用腕金物の取付用のガイドであるツキ出し用押さえ金物１の締着孔６に連設した切欠部７によって、ツキ出し用押さえ金物１を適宜摺動させ、ボルト４とナット５を緩めるだけで、二段目のツキ出し用腕金物２ｂを短時間で容易に取付可能となる。従って、従来の高所作業での危険性を排除でき、又、ケーブルの移設工程も無くなって作業効率も向上する。
【０００９】
【発明の効果】
本発明に係るツキ出し用押さえ金物によれば、二段目のツキ出し用腕金物に取付けらる締着孔に連設してツキ出し用腕金物の取付用ガイドとなる切欠部を連設したので、二段目のツキ出し用腕金物への取付は前記切欠部によってその締着孔をツキ出し用腕金物の取付位置に摺動、微調整し、これにボルト締めを行えば良いから、従来のように、高所での電話線の既設ケーブルの移設作業を無くして危険負担の軽減、作業の安全性を確保することができる。又、二段目のツキ出し用腕金物を取り付ける作業を瞬時に行うことが可能で、作業効率を高めて作業者の負担を軽減し、作業コストの軽減を図ることができる。加えて、近時急速に進められているケーブルの光化により、架空光ケーブルの多条掛けが見込まれることから、高所作業工程（危険工程）の減少に寄与できる等の優れた効果を奏する。
【図面の簡単な説明】
【図１】斜視図である。
【図２】正面図である。
【図３】側面図である。
【図４】背面図である。
【図５】二段目のツキ出し用腕金物を取り付ける状態を示す説明図である。
【図６】図５の要部拡大正面図である。
【図７】二段目のツキ出し用腕金物を取り付た状態を示す説明図である。
【図８】図７の要部拡大正面図である。
【符号の説明】
１      ツキ出し用押さえ金物
２ａ    一段目のツキ出し用腕金物
２ｂ    二段目のツキ出し用腕金物
３、６  締着孔
４      ボルト
５      ナット
７      切欠部
８      補強用リブ
９      電柱
１０    固定用腕金
【図１】
0004169412.tif 000002
【図２】
0004169412.tif 000003
【図３】
0004169412.tif 000004
【図４】
0004169412.tif 000005
【図５】
0004169412.tif 000006
【図６】
0004169412.tif 000007
【図７】
0004169412.tif 000008
【図８】
0004169412.tif 000009